(57)【特許請求の範囲】
【請求項１】
側壁及び底壁からなる周壁に囲まれ前面に開口を有するとともに、内部にケーブルの結線部を収容する収容空間を備えた配線ボックスであって、
前記側壁は、前記収容空間内に前記ケーブルを引き込むための引込口と、該引込口の近傍に設けられ、前記収容空間内に引き込まれた前記ケーブルを結束保持する結束線が固定される結束線固定部とを備え、
前記結束線固定部は、前記結束線が挿通される挿通部と、該挿通部に挿通された前記結束線を前記引込口に沿って案内する案内部とを備えてなり、
前記挿通部は、前記前面側から前記結束線を挿通可能に形成され、
前記案内部は、前記前面側から挿通された前記結束線を前記底壁に沿う方向に案内すべく湾曲して形成されたことを特徴とする配線ボックス。
【請求項２】
前記案内部は、案内されて湾曲する前記結束線の外部側のみに形成されたことを特徴とする請求項１に記載の配線ボックス。
【請求項３】
前記案内部は、前記挿通部から挿通された前記結束線が前記案内部において側方にはみ出して外れるのを防止する突起が設けられたことを特徴とする請求項２に記載の配線ボックス。
【請求項４】
前記挿通部は、前記結束線により結束された前記ケーブルの外面が同一平面上で当接する当接部を備えたことを特徴とする請求項１乃至請求項３のいずれかに記載の配線ボックス。
【請求項５】
前記案内部は、前記底壁と同一平面位置まで延設され、造営材に固定するための固定材が挿通される貫通孔を備えたことを特徴とする請求項１乃至請求項４のいずれかに記載の配線ボックス。
【発明の詳細な説明】
【技術分野】
【０００１】
本発明は、内部にケーブルの結線部を収容する配線ボックスに関するものである。
【背景技術】
【０００２】
造営材である建物の壁面や天井面等に沿ってケーブルが布設される布設路には適宜間隔をおいてケーブルの結線部を収容する配線ボックスが設置されている。この配線ボックスはケーブルの布設作業などにおいてケーブルが引張られたときに、内部のケーブルの結線部が強く引張られて断線することがあるため、図７に示すように、配線ボックス５１の設置箇所周辺の壁面４３にステップル５２を打ち込んでケーブル４１を一定位置に保持し、ケーブル４１の結線部４２が引張られないようにしている。
【０００３】
ところで、配線ボックス５１の側壁２に設けられた、ケーブル４１を配線ボックス５１内に引込むための引込口６は、建物の壁面４３からは所定距離壁表側に突出した位置にあることから、引込口６と建物の壁面４３との間に高低差を生じている。このため、ステップル５２を配線ボックス５１の引込口６に極く近い位置で建物の壁面４３に打ち込んで固定すると、ケーブル４１は引込口６と建物の壁面４３との間で急激に折れ曲がる。その結果、ケーブル４１の被覆層に亀裂が生じたり、ケーブル４１が断線する恐れが生ずる。そこで、引用文献１、引用文献２等にも記載されているように、ステップル５２は配線ボックス５１の引込口６から所定距離布設方向に離間した位置で壁面４３に固定されている。これにより、ケーブル４１は配線ボックス５１の引込口６と壁面４３との間において緩やかに傾斜した状態で配線されるため、急激な折れ曲がりによるケーブル４１の被覆層の亀裂やケーブル４１の断線が防止される。
【先行技術文献】
【特許文献】
【０００４】
【特許文献１】実開平３−９１０１３号公報
【特許文献２】特開平８−９８３７０号公報
【発明の概要】
【発明が解決しようとする課題】
【０００５】
しかし、従来の配線ボックス５１のように、引込口６から建物の壁面４３におけるステップル５２の固定位置までの距離が長いと、その分、ステップル５２によるケーブル４１の結束保持をも含めた配線ボックス５１の設置箇所には全体として大きなスペースが必要となる。
【０００６】
また、配線ボックス５１の引込口６から建物の壁面４３におけるステップル５２の固定位置までの距離が長いと、引込口６からステップル５２までの間のケーブル４１に何らかの干渉物が引掛かってケーブル４１が強く引張られることも起こり得る。その場合、配線ボックス５１内の結線部４２には無理な引張力が加わって結線部４２が断線する恐れも生ずる。
【０００７】
そこで、本発明は、ケーブルの結束保持をも含めたケーブルの結線箇所全体のスペースを小さくすることができ、また、ケーブルの結線部からケーブルの結束保持位置までの間のケーブルに干渉物が引掛かって結線部が引張られるのを確実に防止できる配線ボックスの提供を課題とするものである。
【課題を解決するための手段】
【０００８】
請求項１の配線ボックスは、側壁及び底壁からなる周壁に囲まれ前面に開口を有するとともに、内部にケーブルの結線部を収容する収容空間を備えたものであって、前記側壁は、前記収容空間内に前記ケーブルを引き込むための引込口と、該引込口の近傍に設けられ、前記収容空間内に引き込まれた前記ケーブルを結束保持する結束線が固定される結束線固定部とを備えている。
そして、結束線固定部は、結束線が挿通される挿通部と、該挿通部に挿通された結束線を引込口に沿って案内する案内部とを備えてなる。
また、挿通部は、前面側から結束線を挿通可能に形成され、案内部は、前面側から挿通された結束線を底壁に沿う方向に案内すべく湾曲して形成されている。
これにより、ケーブルは、配線ボックスの引込口の近傍において結束保持される。
【０００９】
請求項２の配線ボックスは、案内部が、案内されて湾曲する結束線の外部側のみに形成されたものである。
請求項３の配線ボックスは、案内部に、挿通部から挿通された結束線が案内部において側方にはみ出して外れるのを防止する突起が設けられたものである。
請求項４の配線ボックスは、挿通部が、結束線により結束されたケーブルの外面が同一平面上で当接する当接部を備えている。
請求項５の配線ボックスは、案内部が、底壁と同一平面位置まで延設され、造営材に固定するための固定材が挿通される貫通孔を備えている。
【発明の効果】
【００１０】
請求項１の発明は、ケーブルの結束線が固定される結束線固定部が配線ボックスの側壁の引込口の近傍に設けられているから、ケーブルの布設作業などにおいてケーブルが引張られたときに配線ボックス内のケーブルの結線部に引張力が加わるのを防止できる。これにより、結線部が引張られて断線するのを防止することができる。
そして、特に、結束線固定部は配線ボックスの引込口の近傍に設けられ、配線ボックスの収容空間内に引き込まれたケーブルは引込口の近傍で結束保持されるので、ケーブルの結束保持をも含めた配線ボックスの設置箇所全体のスペースを小さくすることができる。したがって、狭い空間においても配線ボックスを設置し、ケーブルを結束保持することができる。
また、結束線固定部が配線ボックスの引込口の近傍に設けられていることにより、配線ボックス内の結線部からケーブルの結束保持位置までの間でケーブルに干渉物が引掛かることがないから、干渉物の引掛かりによって配線ボックス内の結線部が引張られて断線するのを確実に防止できる。
【００１１】
更に、請求項１の発明は、結束線固定部が、結束線が挿通される挿通部と、結束線を引込口に沿って案内する案内部とを備えてなるから、結束線を挿通部に挿通し押し込むだけで、結束線は案内部で案内されて引込口に沿って移動し、自ずとケーブルを結束する方向に曲げられる。
加えて、請求項１の発明は、挿通部が前面側から結束線を挿通可能に形成され、案内部が結束線を底壁に沿う方向に案内すべく湾曲して形成されている。
したがって、配線ボックスが狭い箇所で造営材に設置されている場合でも、ケーブルを引込口の近傍に結束保持する作業を円滑かつ楽に行なうことができる。
請求項２の発明は、案内部が、案内されて湾曲する結束線の外部側のみに形成されているから、ケーブルの外周面のほぼ全体を直接結束線で結束することができ、ケーブルを強固に結束することができる。
請求項３の発明は、案内部に突起が設けられているので、挿通部から挿通された結束線が案内部において側方にはみ出して外れるのを防止することができる。
請求項４の発明は、挿通部が、結束されたケーブルの外面が同一平面上で当接する当接部を備えているから、引込口の近傍でケーブルを直線状態で引き出して安定して結束できるとともに、挿通部の一部が引込口の開口に張り出さないため、ケーブルを引込口に円滑に挿通させることができる。
請求項５の発明は、案内部が底壁と同一平面位置まで延設され、造営材に固定するための貫通孔を備えているから、この案内部を利用して配線ボックスを造営材に固定することもできる。
【図面の簡単な説明】
【００１２】
【図１】本発明の実施形態の配線ボックスを示す斜視図である。
【図２】図１の配線ボックスを示し、(a)は正面図、(b)は右側面図である。
【図３】ケーブルを図１の配線ボックスの引込口の近傍で結束保持する方法を示す説明図である。
【図４】ケーブルを図１の配線ボックスの引込口の近傍で結束保持した状態を示す正面図である。
【図５】本発明の変形例の配線ボックスの要部を示す斜視図である。
【図６】本発明の別の変形例の配線ボックスを示す斜視図である。
【図７】従来の配線ボックスにおけるケーブルの結束保持状態を示す一部破断平面図である。
【発明を実施するための形態】
【００１３】
以下、本発明の実施形態の配線ボックスを図に基づいて説明する。
図１及び図２において、配線ボックス１は、側壁２及び底壁３からなる周壁に囲まれた箱体形状をなし、前面に開口４を有し、内部にケーブル４１の結線部４２を収容する収容空間５を備え、造営材である建物の壁面４３や柱面に設置される。配線ボックス１は、各側壁２に、収容空間５内にケーブル４１を引き込むための引込口６を備えている。そして、配線ボックス１の側壁２の外面において３箇所の引込口６の近傍には、それぞれ、収容空間５内に引き込まれたケーブル４１を結束保持する結束線３１が固定される結束線固定部２１が設けられている。
【００１４】
配線ボックス１は底壁３に設けられた貫通孔７にビス等の固定材を挿通し、これを建物の壁面４３に螺着することにより該壁面４３に設置固定することができる。また、１面の側壁２には、両側方に突出する一対の取着板部８，８が延設され、各取着板部８の略中央部にはビス等の固定材を挿通可能な長孔９が設けられており、この１箇所の側壁２を間柱等に当接させ、長孔９にビスを挿通し螺着することにより、この１面の側壁２において配線ボックス１を間柱等に設置固定することもできる。なお、この側壁２において固定する場合、この１面の側壁２に設けられた引込口６は不要となり、当初よりこの引込口６は設けないものとすることもできる。配線ボックス１の開口４の周縁の４箇所には、ボス孔１０が設けられており、このボス孔１０にビスを螺着することにより、開口４に前面側から蓋体や塗代カバー等を取付けることができるようになっている。配線ボックス１は、合成樹脂材、金属材等で形成されている。
【００１５】
なお、引込口６は、４隅に円弧を有する四角孔形状に形成されている他、円管状のコネクタが取付けられることがあることから、引込口６の周辺には、コネクタの外周円において引込口６の四角孔からはみ出した部分に僅かな深さの弦状の凹部１１が形成されている。これにより、引込口６にコネクタが取付けられたとき、コネクタの高さ方向の一部は凹部１１内に収められ、コネクタは位置ずれすることなく一定位置に保持される。
【００１６】
次に、前記引込口６の近傍に設けられた結束線固定部２１は、本発明の特徴であり、結束線３１が挿通される挿通部２２と、挿通部２２に挿通された結束線３１を側壁２の引込口６に沿って案内する案内部２３とを備えてなる。挿通部２２は、略四角枠板状をなし、一側面が配線ボックス１の側壁２に接合されているとともに、挿通開口２４が配線ボックス１の前面側即ち開口４を有する側に臨み、結束線３１を前面側から挿通できるようになっている。また、挿通部２２における引込口６の周縁面と連通する側面２５は、引込口６の周縁面と同一平面上に形成されており、結束線３１により結束されたケーブル４１の外面が引込口６の近傍において挿通部２２の側面２５と同一平面上で当接するようになっている。この挿通部２２における引込口６の周縁面と連通する側面２５は、請求項の当接部に相当する。
【００１７】
次に、案内部２３は、挿通部２２における引込口６側の側面２５と反対側の側面２６から引込口６の周縁に沿って延出し、前面側から挿通された結束線３１を底壁３に沿う方向に案内すべく湾曲して形成されている。案内部２３は、結束線３１の幅より僅かに大きい一定幅に形成されている。そして、案内部２３は、挿通部２２における前記側面２６からのみ延出し、案内されて湾曲する結束線３１の外部側のみに形成されている。ここで、結束線３１の外部側とは、湾曲している結束線３１の凸となっている膨出側をいう。そして、案内部２３は、挿通部２２からは底壁３と同一平面の位置まで延設されている。案内部２３は、このようにして、側壁２の壁面において引込口６の周縁から離間した位置に形成されており、引込口６の周縁と案内部２３との間には結束線３１を挿通可能な空間が形成されている。更に、案内部２３における延設部分の端部には配線ボックス１を造営材である建物の壁面４３や間柱面等に固定するためのビス等の固定材が挿通される貫通孔２７が設けられている。また、案内部２３の側縁の１箇所には、小さい突起２８が立設されている。この突起２８は、挿通部２２から挿通された結束線３１が案内部２３において側方にはみ出して外れるのを防止するものである。
【００１８】
一方、ケーブル４１を結束保持する結束線３１は、合成樹脂製で、図１に示すように、帯板状に形成されてケーブル４１に巻付けられる帯板部３２と、四角枠板状に形成され、ケーブル４１に巻回した後の帯板部３２の端部を抜け止め状態に係止して結束固定する結束固定部３３とを備えてなり、所定の弾性及び剛性を有している。帯板部３２には幅方向に向かう一定の鈎状断面を有する係止突条３４が長手方向に所定間隔をおいて鋸歯状に多数形成されており、帯板部３２をケーブル４１に巻付けた後、この帯板部３２を結束固定部３３に挿通することにより、帯板部３２は抜け止め状態で結束固定部３３に係止固定され、ケーブル４１は結束保持される。
【００１９】
次に、このように構成された本実施形態の配線ボックス１において、内部の収容空間５に収容されたケーブル４１を引込口６の近傍に結束保持する方法を図３に基づいて説明する。
【００２０】
最初に、配線ボックス１の３箇所の引込口６から複数のケーブル４１を収容空間５内に挿入し、図４に示すように、収容空間５内においてケーブル４１相互を結線部４２で結線する。
【００２１】
収容空間５内でケーブル４１相互を結線したら、図３(a)に示すように、配線ボックス１の前面側から結束線３１を結束線固定部２１の挿通部２２に挿通し、そのまま結束線３１を押し込んでいく。すると、結束線３１は、所定の弾性及び剛性を有するので、自然と結束線固定部２１の案内部２３上を摺動しつつ案内されて引込口６に沿って湾曲し、図３(b)に示すように、先端部は底壁３に沿う位置に達する。このとき、案内部２３は側壁２の壁面において引込口６の周縁から離間した位置に形成されているため、引込口６に引き込まれたケーブル４１に引掛かることなく結束線３１を案内部２３に沿って案内することができる。その後、引き続き結束線３１を押し込んでから、結束線３１の帯板部３２の先端部を把持して、図３(c)に示すように、結束線３１を四角枠板状の結束固定部３３内に挿通し、反対側から帯板部３２を引張り出す。これにより、帯板部３２は抜け止め状態で結束固定部３３に係止固定され、ケーブル４１は結束線３１の帯板部３２によって強固に締付けられ、結束保持される。以上の結果、ケーブル４１は配線ボックス１の引込口６の近傍である結束線固定部２１の挿通部２２の位置で結束保持される。これを３箇所の結束線固定部２１について行なう。以上によりケーブル４１を結束保持した後の状態を図４に示す。
【００２２】
次に、本実施形態の配線ボックス１の作用を説明する。
配線ボックス１の収容空間５内に引き込まれたケーブル４１は結束線固定部２１に固定される結束線３１によって結束保持されるので、ケーブル４１の布設作業などにおいてケーブル４１が引張られても配線ボックス１内のケーブル４１の結線部４２に引張力が加わるのが防止される。これにより、ケーブル４１の結線部４２が引張られて断線するのが防止される。
【００２３】
特に、結束線３１が固定される結束線固定部２１は、配線ボックス１の引込口６の近傍に設けられ、配線ボックス１自体に設けられているから、ケーブル４１を造営材である建物の壁面４３等に結束保持するためのスペースは特には必要としない。即ち、従来の配線ボックスの場合では、ケーブル４１の急激な折れ曲がりによる被覆層の亀裂やケーブル４１の断線を防止するために、ケーブル４１は配線ボックス１の引込口６と造営材の壁面４３との間において緩やかに傾斜した状態に配線しなければならないから、配線ボックス１からケーブル４１の結束保持位置までには相当長い距離の大きなスペースが必要となるが、本実施形態の配線ボックス１においては、ケーブル４１は配線ボックス１自体に設けられており、ケーブル４１を結束保持するためのスペースは特には必要としない。したがって、ケーブル４１の結束保持をも含めた配線ボックス１の設置箇所全体のスペースを小さくすることができる。その結果、狭い空間においても配線ボックス１を設置し、ケーブル４１を結束保持することができる。
【００２４】
また、結束線固定部２１が配線ボックス１の引込口６の近傍に設けられていることにより、配線ボックス１内の結線部４２からケーブル４１の結束保持位置までの間でケーブル４１に干渉物による引掛かりを生じることもないから、配線ボックス１内の結線部４２が干渉物の引掛かりによる引張りによって断線するのが確実に防止される。
【００２５】
更に、結束線固定部２１は、挿通部２２と案内部２３とを備えてなり、挿通部２２は配線ボックス１の前面側から結束線３１を挿通でき、案内部２３は結束線３１を底壁３に沿う方向に案内すべく湾曲して形成されているから、結束線３１を挿通部２２に挿通し押し込むだけで、結束線３１は案内部２３に案内されて引込口６に沿って移動し、自然とケーブル４１を結束する方向に曲げられる。したがって、配線ボックス１が建物の壁面４３に設置されている箇所が狭い場合であっても、ケーブル４１を引込口６の近傍に結束保持させる作業を円滑かつ楽に行なうことができる。
【００２６】
そして、案内部２３は、案内されて湾曲する結束線３１の外部側のみに形成されているから、ケーブル４１の外周面のほぼ全体を直接結束線３１で結束することができ、ケーブル４１を強固に結束できる。
【００２７】
加えて、挿通部２２は、結束されたケーブル４１の外面が同一平面上で当接する当接部としての側面２５を備えているから、引込口６の近傍においてケーブル４１を直線状態で引き出して安定して結束できる。即ち、挿通部２２の側面２５が引込口６の周縁面に対して側壁２の壁面上を引込口６から離れる方向にずれて段差を生じている場合は、ケーブル４１は引込口６の近傍において多少折れ曲がるが、本実施形態では、側面２５と引込口６の周縁面とが同一高さにあってケーブル４１の外面が同一平面上で側面２５と当接するから、ケーブル４１は折れ曲がりを全く生じない。また、挿通部２２の側面２５が反対方向の引込口６の開口内に張り出すこともないため、ケーブル４１を引込口６に円滑に挿通させることもできる。
【００２８】
更に、案内部２３は底壁３と同一平面位置まで延設され、造営材の壁面４３に固定するための貫通孔２７を備えているから、貫通孔２７に固定材のビス等を取付け、この案内部２３を利用して配線ボックス１を建物の壁面４３に設置固定することもできる。
【００２９】
ところで、上記実施形態の結束線固定部２１の案内部２３は、案内されて湾曲する結束線３１の外部側のみに形成されているが、本発明を実施する場合は、これに限定されるものではなく、図５(a)に示すように、結束線３１の内部側と外部側との双方に形成してもよい。ここで、案内部２３における結束線３１の内部側は、引込口６の周縁に沿ってまたは該周縁の僅かに外側に設けられている。案内部２３を結束線３１の内部側にも形成した場合は、引込口６に引き込まれたケーブル４１に全く引掛かることなく結束線３１を案内することができる。
【００３０】
また、上記実施形態の結束線固定部２１の挿通部２２は、略四角枠板状に形成され、挿通開口２４は結束線３１を配線ボックス１の前面側から挿通できる向きに設けられているが、必ずしも配線ボックス１の前面側から結束線３１を挿通できるものでなくてもよい。
【００３１】
更に、挿通部２２は、図５(b)に示すように、断面略Ｃ字形状の枠板材で形成することも可能であり、この場合、結束線３１は、前面側から挿通部２２の挿通開口２４に挿通させることができる他、側方の挿入開口２９から挿通部２２内に挿入することもできる。
【００３２】
そして、上記実施形態の配線ボックス１では、引込口６は、４隅に円弧を有する四角孔形状に形成されているが、丸孔形状や楕円形状、六角孔形状等に形成することもできる。
また、図６に示す配線ボックス１のように、引込口は、略コ字状に切欠形成された引込口１２であってもよい。図１の配線ボックス１の場合、ケーブル４１は、その先端を引込口６に挿入して配線ボックス１の収容空間５内に収容されるが、図６の配線ボックス１の場合は、ケーブル４１は、平行移動させて引込口１２の切欠開口から挿入して配線ボックス１の収容空間５内に収容することができる。
【００３３】
加えて、上記実施形態の結束線固定部２１は、側壁２の外面即ち配線ボックス１の外壁に設けられているが、側壁２の内面即ち配線ボックス１の内壁に設けてもよく、或いは側壁２の外面及び内面双方に設けてもよい。
更に、結束線固定部２１は、挿通部２２と案内部２３とで構成されているが、結束線３１の挿入の案内を格別必要としない場合は、案内部２３は不要とすることもできる。
【００３４】
また、上記実施形態の結束線固定部２１の案内部２３は、底壁３に沿う位置まで延出させているが、更にその先まで延長し、開口４側に戻る方向まで湾曲させてもよい。或いは、逆に、案内部２３は、底壁３に沿う位置の手前まで延出したものとしてもよく、その延出長さは適宜設定することができる。
【００３５】
加えて、案内部２３の側縁には挿入時の結束線３１の外れを防止するための小さい突起２８が１箇所に立設されているが、突起２８は所定間隔で複数箇所に立設してもよい。或いは、僅かの高さを有する塀の形態で案内部２３の側縁に沿って立設して、結束線３１の外れを防止するようにしてもよい。また、挿入時に結束線３１は案内部２３から外れる恐れがなければ、外れ防止用の突起２８等は省いてもよい。
【００３６】
そして、上記実施形態においては、結束線３１は、帯板部３２と結束固定部３３とを備えたものが使用されているが、他のバインド線や紐体などを使用することもできる。また、サドル状のものを使用してケーブル４１を引込口６の近傍に固定することもできる。
【符号の説明】
【００３７】
１  配線ボックス                   ２３  案内部
２  側壁                           ２５  側面（当接部）
３  底壁                           ２７  貫通孔
４  開口                           ３１  結束線
５  収容空間                       ４１  ケーブル
６  引込口                         ４２  結線部
２１  結束線固定部                   ４３  壁面（造営材）
２２  挿通部
【図１】
0005702219.tif 000002
【図２】
0005702219.tif 000003
【図３】
0005702219.tif 000004
【図４】
0005702219.tif 000005
【図５】
0005702219.tif 000006
【図６】
0005702219.tif 000007
【図７】
0005702219.tif 000008